(57)【特許請求の範囲】
【請求項１】
第１のサブスクリプションと第２のサブスクリプションとの間のページング衝突シナリオを検出することと、ここで、前記ページング衝突シナリオを検出することは、前記第１のサブスクリプションと前記第２のサブスクリプションとが同じ共通制御チャネル構成グループを有するかどうかを決定すること、前記第１のサブスクリプションと前記第２のサブスクリプションとが同じページンググループを有するかどうかを決定すること、前記第１のサブスクリプションと前記第２のサブスクリプションとが別々のセル上にあるか単一のセル上にあるかを決定すること、および前記第１のサブスクリプションと前記第２のサブスクリプションとが異なるネットワークに割り当てられるかどうかを決定すること、のうちの、少なくとも１つを含む、
第１のサブスクリプションについての共通制御チャネル構成グループが前記第２のサブスクリプションについての共通制御チャネル構成グループと同じである、および、前記第１のサブスクリプションについてのページンググループが前記第２のサブスクリプションについてのページンググループと同じである、のうちの少なくとも１つである場合、前記第１のサブスクリプションと前記第２のサブスクリプションとの間のページング衝突を回避するために、前記第１のサブスクリプションと前記第２のサブスクリプションとのうちの少なくとも１つのページ読取り操作を修正することと、ここで、前記修正することは、検出されたページング衝突シナリオに応じて、１つのサブスクリプションから受信したページングを他のサブスクリプションと共有すること、交互サブスクリプションページブロック読取りを使用すること、共通制御チャネル構成グループ内の２つの連続するページを読み取ること、およびマルチスロット受信を使用してインターリーブされたページブロックを読み取ること、のうちの少なくとも１つを含む、
を備える、方法。
【請求項２】
前記修正することが、
ページングサブチャネルの１つのページング期間中に、前記第１のサブスクリプションについてのページングブロックインデックスを読み取ることと、
前記ページングサブチャネル上の後続のページング期間中に、前記第２のサブスクリプションについてのページングブロックインデックスを読み取ることと
を含む、請求項１に記載の方法。
【請求項３】
前記修正することは、前記第１のサブスクリプションについての決定された共通制御チャネル構成グループおよびページンググループが、それぞれ前記第２のサブスクリプションについての決定された共通制御チャネル構成グループおよびページンググループと同じである場合、前記第１のサブスクリプションまたは前記第２のサブスクリプションのいずれかから他のサブスクリプションへと受信したページング情報を共有することを含む、請求項１に記載の方法。
【請求項４】
前記修正することは、前記第１のサブスクリプションについての決定された共通制御チャネル構成グループおよびページンググループが、それぞれ前記第２のサブスクリプションについての決定された共通制御チャネル構成グループおよびページンググループと同じである場合、第１のセルから第２の異なるセルへと受信したページング情報を共有することを含む、請求項１に記載の方法。
【請求項５】
前記修正することは、前記第１のサブスクリプションについての決定された共通制御チャネル構成グループが前記第２のサブスクリプションについての決定された共通制御チャネル構成グループと同じであり、前記第１のサブスクリプションについての決定されたページンググループが前記第２のサブスクリプションについての決定されたページンググループと同じでない場合、決定された共通制御チャネル構成グループから連続するページを読み取ることを含む、請求項１に記載の方法。
【請求項６】
前記修正することは、前記第１のサブスクリプションについての決定された共通制御チャネル構成グループが前記第２のサブスクリプションについての決定された共通制御チャネル構成グループとは異なり、前記第１のサブスクリプションについての決定されたページンググループが前記第２のサブスクリプションについての決定されたページンググループと同じである場合、決定された共通制御チャネル構成グループからインターリーブされたページを読み取ることを含む、請求項１に記載の方法。
【請求項７】
第１のサブスクリプションと第２のサブスクリプションとの間の潜在的なページング衝突を検出するための手段と、ここで、前記潜在的なページング衝突を検出することは、前記第１のサブスクリプションと前記第２のサブスクリプションとが同じ共通制御チャネル構成グループを有するかどうかを決定すること、前記第１のサブスクリプションと前記第２のサブスクリプションとが同じページンググループを有するかどうかを決定すること、前記第１のサブスクリプションと前記第２のサブスクリプションとが別々のセル上にあるか単一のセル上にあるかを決定すること、および前記第１のサブスクリプションと前記第２のサブスクリプションとが異なるネットワークに割り当てられるかどうかを決定すること、のうちの、少なくとも１つを含む、
第１のサブスクリプションについての共通制御チャネル構成グループが前記第２のサブスクリプションについての共通制御チャネル構成グループと同じである、および、前記第１のサブスクリプションについてのページンググループが前記第２のサブスクリプションについてのページンググループと同じである、のうちの少なくとも１つである場合、前記第１のサブスクリプションと前記第２のサブスクリプションとの間のページング衝突を回避するために、前記第１のサブスクリプションと前記第２のサブスクリプションとのうちの少なくとも１つのページ読取り操作を修正するための手段と、ここで、前記修正することは、検出されたページング衝突に応じて、１つのサブスクリプションから受信したページングを他のサブスクリプションと共有すること、交互サブスクリプションページブロック読取りを使用すること、共通制御チャネル構成グループ内の２つの連続するページを読み取ること、およびマルチスロット受信を使用してインターリーブされたページブロックを読み取ること、のうちの少なくとも１つを含む、
を備える、デバイス。
【請求項８】
コンピュータ上で実行されたときに、
第１のサブスクリプションと第２のサブスクリプションとの間の潜在的なページング衝突を検出することと、ここで、前記潜在的なページング衝突を検出することは、前記第１のサブスクリプションと前記第２のサブスクリプションとが同じ共通制御チャネル構成グループを有するかどうかを決定すること、前記第１のサブスクリプションと前記第２のサブスクリプションとが同じページンググループを有するかどうかを決定すること、前記第１のサブスクリプションと前記第２のサブスクリプションとが別々のセル上にあるか単一のセル上にあるかを決定すること、および前記第１のサブスクリプションと前記第２のサブスクリプションとが異なるネットワークに割り当てられるかどうかを決定すること、のうちの、少なくとも１つを含む、
第１のサブスクリプションについての共通制御チャネル構成グループが前記第２のサブスクリプションについての共通制御チャネル構成グループと同じである、および、前記第１のサブスクリプションについてのページンググループが前記第２のサブスクリプションについてのページンググループと同じである、のうちの少なくとも１つである場合、前記第１のサブスクリプションと前記第２のサブスクリプションとの間のページング衝突を回避するために、前記第１のサブスクリプションと前記第２のサブスクリプションとのうちの少なくとも１つのページ読取り操作を修正することと、ここで、前記修正することは、検出されたページング衝突に応じて、１つのサブスクリプションから受信したページングを他のサブスクリプションと共有すること、交互サブスクリプションページブロック読取りを使用すること、共通制御チャネル構成グループ内の２つの連続するページを読み取ること、およびマルチスロット受信を使用してインターリーブされたページブロックを読み取ること、のうちの少なくとも１つを含む、
を備える動作を実行するコンピュータ実行可能命令を含む、非一時的コンピュータ可読記憶媒体。
【請求項９】
複数の通信デバイスが少なくとも１つの他の通信デバイスと通信することができる、前記複数の通信デバイスを備える通信ネットワークにおける製造品であって、第１のサブスクリプションと第２のサブスクリプションとの間のページング衝突シナリオを検出することと、ここで、前記ページング衝突シナリオを検出することは、前記第１のサブスクリプションと前記第２のサブスクリプションとが同じ共通制御チャネル構成グループを有するかどうかを決定すること、前記第１のサブスクリプションと前記第２のサブスクリプションとが同じページンググループを有するかどうかを決定すること、前記第１のサブスクリプションと前記第２のサブスクリプションとが別々のセル上にあるか単一のセル上にあるかを決定すること、および前記第１のサブスクリプションと前記第２のサブスクリプションとが異なるネットワークに割り当てられるかどうかを決定すること、のうちの、少なくとも１つを含み、第１のサブスクリプションについての共通制御チャネル構成グループが前記第２のサブスクリプションについての共通制御チャネル構成グループと同じである、および、前記第１のサブスクリプションについてのページンググループが前記第２のサブスクリプションについてのページンググループと同じである、のうちの少なくとも１つである場合、前記第１のサブスクリプションと前記第２のサブスクリプションとの間のページング衝突を回避するために、前記第１のサブスクリプションと前記第２のサブスクリプションとのうちの少なくとも１つのページ読取り操作を修正することとを行うように構成された１つまたは複数のプロセッサを備え、ここで、前記修正することは、検出されたページング衝突シナリオに応じて、１つのサブスクリプションから受信したページングを他のサブスクリプションと共有すること、交互サブスクリプションページブロック読取りを使用すること、共通制御チャネル構成グループ内の２つの連続するページを読み取ること、およびマルチスロット受信を使用してインターリーブされたページブロックを読み取ること、のうちの少なくとも１つを含む、製造品。
【請求項１０】
第１のサブスクリプションと少なくとも第２のサブスクリプションとの間のページング衝突シナリオを検出することと、ここで、前記ページング衝突シナリオを検出することは、前記第１のサブスクリプションと前記第２のサブスクリプションとが同じ共通制御チャネル構成グループを有するかどうかを決定すること、前記第１のサブスクリプションと前記第２のサブスクリプションとが同じページンググループを有するかどうかを決定すること、前記第１のサブスクリプションと前記第２のサブスクリプションとが別々のセル上にあるか単一のセル上にあるかを決定すること、および前記第１のサブスクリプションと前記第２のサブスクリプションとが異なるネットワークに割り当てられるかどうかを決定すること、のうちの、少なくとも１つを含む、
第１のサブスクリプションについての共通制御チャネル構成グループが前記第２のサブスクリプションについての共通制御チャネル構成グループと同じである、および、前記第１のサブスクリプションについてのページンググループが前記第２のサブスクリプションについてのページンググループと同じである、のうちの少なくとも１つである場合、前記第１のサブスクリプションと少なくとも前記第２のサブスクリプションとの間のページング衝突を回避するために、前記第１のサブスクリプションと少なくとも前記第２のサブスクリプションとのうちの少なくとも１つのページ読取り操作を修正することと
を備え、ここで、前記修正することは、検出されたページング衝突シナリオに応じて、１つのサブスクリプションから受信したページングを他のサブスクリプションと共有すること、交互サブスクリプションページブロック読取りを使用すること、共通制御チャネル構成グループ内の２つの連続するページを読み取ること、およびマルチスロット受信を使用してインターリーブされたページブロックを読み取ること、のうちの少なくとも１つを含む、方法。
【請求項１１】
前記修正することは、前記第１のサブスクリプションについての決定された共通制御チャネル構成グループ（ＣＣＣＨ＿ＧＲＯＵＰ）およびページンググループ（ＰＡＧＩＮＧ＿ＧＲＯＵＰ）が、それぞれ前記第２のサブスクリプションについての決定されたＣＣＣＨ＿ＧＲＯＵＰおよびＰＡＧＩＮＧ＿ＧＲＯＵＰと同じである場合、前記第１のサブスクリプションまたは前記第２のサブスクリプションのいずれかから他のサブスクリプションへと受信したページング情報を共有することを含む、請求項１０に記載の方法。
【請求項１２】
前記修正することは、前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のセルから第２の異なるセルへと受信されたページング情報を共有することを含む、請求項１に記載の方法。
【請求項１３】
前記修正することは、前記第１のサブスクリプションについての決定されたＣＣＣＨ＿ＧＲＯＵＰが前記第２のサブスクリプションについての決定されたＣＣＣＨ＿ＧＲＯＵＰと同じであり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じでない場合、決定されたＣＣＣＨ＿ＧＲＯＵＰから連続するページを読み取ることを含む、請求項１に記載の方法。
【請求項１４】
前記修正することは、前記第１のサブスクリプションについての決定されたＣＣＣＨ＿ＧＲＯＵＰが前記第２のサブスクリプションについての決定されたＣＣＣＨ＿ＧＲＯＵＰとは異なり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じである場合、決定されたＣＣＣＨ＿ＧＲＯＵＰからインターリーブされたページを読み取ることを含む、請求項１に記載の方法。
【発明の詳細な説明】
【技術分野】
【０００１】
優先権主張および関連出願
本特許出願は、本出願の譲受人に譲渡され、参照により本明細書に明確に組み込まれる、２０１１年２月３日に出願された「OPERATION OF DEVICES SUPPORTING MULTIPLE SIMS」と題する米国仮出願第６１／４３９，２６０号の優先権を主張する。
【０００２】
本発明の実施形態は、一般に、ワイヤレス通信に関する。より詳細には、本発明は、単一の受信デバイスを用いた複数の加入者識別モジュール（ＳＩＭｓ）をサポートするためのデバイス、方法、製造品、およびコンピュータ可読媒体に関する。いくつかの実施形態は、モバイルまたは固定通信機器などの通信デバイス上に組み込まれ得る。
【背景技術】
【０００３】
時として、複数の加入者識別モジュール（ＳＩＭｓ）と単一の受信機とを含むモバイルデバイスが、２つのサブスクリプションについてのページングチャネルを同時に受信することが可能でないことがある。両方のサブスクリプションが単一のオペレータからのものである場合、モバイルデバイスは、両方のサブスクリプションについて単一のセルに「キャンプオン」する可能性があり得る。そのような場合、２つのページングチャネルのページングメッセージが衝突し、したがって、１つのサブスクリプションだけがページングメッセージを受信することが可能であり得る。最終結果として、モバイル着信呼が、他のサブスクリプションについては成功せず、したがって、不十分なユーザエクスペリエンスをまねくことがある。この問題は、また、モバイルデバイスの各サブスクリプションが異なるセルに「キャンプオン」され、１つのサブスクリプションについてのページングチャネルのタイミングが別のサブスクリプションのものと衝突するときにも起こり得る。
【０００４】
ワイヤレス通信システムを向上させるための方法、デバイス、およびコンピュータ可読媒体が必要である。より具体的には、単一の受信デバイスに関連する複数のサブスクリプション間のページング衝突を低減するための方法、デバイス、およびコンピュータ可読媒体が必要である。
【発明の概要】
【０００５】
本発明のいくつかの実施形態を以下で要約し、さらに以下でさらに詳細に説明する。本発明の特徴は、上記で説明した問題点に対処し、したがって、単一の受信デバイスに関連する複数のサブスクリプション間のページング衝突を低減することが可能な通信デバイス、方法、およびシステムを可能にする。
【０００６】
複数の通信デバイスが少なくとも１つの他の通信デバイスと通信し得る、複数の通信デバイスを備える通信ネットワークにおいて、製造品は、第１のサブスクリプションと第２のサブスクリプションとの間のページング衝突シナリオを検出することと、第１のサブスクリプションと第２のサブスクリプションとの間のページング衝突を回避するために、第１のサブスクリプションと第２のサブスクリプションとのうちの少なくとも１つのページ読取り操作を修正することとを行うように構成された１つまたは複数のプロセッサを備える。
【０００７】
通信方法も、また、ページング衝突の低減を可能にし得る。そのような方法は、概して、第１のサブスクリプションと第２のサブスクリプションとの間のページング衝突シナリオを検出することと、第１のサブスクリプションと第２のサブスクリプションとの間のページング衝突を回避するために、第１のサブスクリプションと第２のサブスクリプションとのうちの少なくとも１つのページ読取り操作を修正することとを備えることができる。
【０００８】
本発明の具体的な例示的実施形態についての以下の説明を添付の図と併せて検討すれば、当業者には、本発明の他の態様、特徴、および実施形態が明らかになろう。本発明の特徴が、以下で特定の実施形態および図に関連して説明され得るが、本発明のすべての実施形態は、本明細書で説明する有利な特徴のうちの１つまたは複数を含むことができる。言い換えれば、１つまたは複数の実施形態が、特定の有利な特徴を有するものとして説明され得るが、そのような特徴のうちの１つまたは複数は、また、本明細書で説明される本発明の様々な実施形態に従って使用され得る。同様に、例示的な実施形態が、以下ではデバイス、システム、または方法の実施形態として説明され得るが、そのような例示的な実施形態は、様々なデバイス、システム、および方法において実装され得ることを理解されたい。
【図面の簡単な説明】
【０００９】
【図１Ａ】図１Ａは、ワイヤレス通信システムを示す図である。
【図１Ｂ】図１Ｂは、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）（登録商標）におけるブロードキャスト制御チャネル（ＢＣＣＨ）および共通制御チャネル（ＣＣＣＨ）についてのチャネル編成を示す図である。
【図２】図２は、基地局および端末のブロック図である。
【図３】図３は、共通制御チャネル構成グループ、ページンググループ、およびページングブロックインデックスを示す図である。
【図４Ａ】図４Ａは、第１のセル上の第１のサブスクリプションと第２のセル上の第２のサブスクリプションとを有する移動局を含むシステムを示す図である。
【図４Ｂ】図４Ｂは、単一のセル上のデュアルサブスクリプションを有する移動局を含むシステムを示す図である。
【図５】図５は、本発明の例示的な実施形態による、方法を示すフローチャートである。
【図６】図６は、本発明の例示的な実施形態による、別の方法を示すフローチャートである。
【図７】図７は、本発明の例示的な実施形態による、別の方法を示すフローチャートである。
【図８】図８は、本発明の例示的な実施形態による、別の方法を示すフローチャートである。
【図９】図９は、本発明の例示的な実施形態による、別の方法を示すフローチャートである。
【図１０】図１０は、本発明の例示的な実施形態による、別の方法を示すフローチャートである。
【図１１】図１１は、本発明の例示的な実施形態による、さらに別の方法を示すフローチャートである。
【詳細な説明】
【００１０】
添付の図面に関連して以下で説明する詳細な説明は、本発明の例示的な実施形態の説明を意図したものであり、本発明が実施され得る唯一の実施形態を表すことを意図したものではない。この説明全体にわたって使用する「例示的」という用語は、「例、事例、または例示の働きをすること」を意味し、必ずしも他の例示的な実施形態よりも好ましいまたは有利なものと解釈すべきではない。詳細な説明は、本発明の例示的な実施形態の完全な理解を与える目的で具体的な詳細を含む。本発明の例示的な実施形態はこれらの具体的な詳細なしに実行され得ることが当業者には明らかであろう。いくつかの例では、本明細書で提示する例示的な実施形態の新規性を不明瞭にしないように、よく知られている構造およびデバイスをブロック図の形式で示す。また、いくつかの事例では、いくつかの実施形態とともに使用するためのアルゴリズムをフローチャート形式で示し、また、対応するテキストにおいて説明する。このテキストは、本発明の実施形態の特徴を実装するためのコード（たとえば、ｉｆ／ｔｈｅｎ／ｅｌｓｅ文）を実装するために使用され得る。
【００１１】
本明細書で使用する「端末」という用語は、固定でもモバイルでもよく、移動局、ユーザ機器（ＵＥ）、ワイヤレス通信デバイス、または何らかの他の用語で呼ばれ得る。単に例として、端末は、携帯電話、スマートフォン、タブレットＰＣ、デスクトップまたはラップトップコンピュータ、携帯情報端末（ＰＤＡ）、あるいはそのような機能をもつ他の任意のコンピューティングデバイスを備え得る。簡単のために、本明細書で与える説明では、主に端末を参照するが、そのような参照は、匹敵する機能をもつ任意のワイヤレス電気通信デバイス、または通信コンポーネントを含んでいる他のデバイスを指すと拡張的に解釈されるべきである。
【００１２】
当業者によって理解されるように、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）は、ワイヤレス電気通信のための広く使用されている技術である。ＧＳＭデバイスは、ＧＳＭネットワークプロバイダがデバイス（たとえば、電話）ユーザ（すなわち、加入者）を識別し、デバイスに電話番号を割り振り、デバイスに関連する費用を請求することを可能にするために必要とされる情報を記憶する、加入者識別モジュール（ＳＩＭ）カードを組み込み得る。ＳＩＭカードが１つのＧＳＭデバイスから別のＧＳＭデバイスに移動された場合、加入者の識別情報も移動される。
【００１３】
様々な理由から、個人が２つ以上のＧＳＭサブスクリプションを有することがますます一般的になりつつある。ますます増加しつつある人々が複数のＳＩＭを所有するが、ＧＳＭデバイスは、通常、１つのＳＩＭカードだけを含む。したがって、デュアルＳＩＭをもつユーザは、単一のデバイスにについて異なるＧＳＭアカウントを使用するときにＳＩＭカードを交換するか、または２つのＧＳＭデバイスを有するかのいずれかである。これらの解決策の各々は、費用がかかり、デバイスユーザにとって不便であることがわかっている。
【００１４】
図１Ａに、複数の端末１２０（すなわち、端末１２０ａ〜１２０ｉ）に通信を提供する複数の基地局１１０（すなわち、基地局１１０ａ〜１１０ｃ）を含むワイヤレス通信システム１００を示す。「基地局」は、固定局であり、ベーストランシーバサブシステム（ＢＴＳ）、ノードＢ、アクセスポイント、または何らかの他の用語で呼ばれることもある。端末１２０は、通信システム１００全体にわたって分散され得る。モバイル交換センター（ＭＳＣ）１３０は、各基地局１１０に結合することと、各基地局１１０に調整および制御を提供することと、さらに基地局１１０によってサービスされる端末１２０との間のデータのルーティングを制御することとを行うように構成され得る。モバイル交換センターは、無線ネットワークコントローラ（ＲＮＣ）または何らかの他の用語で呼ばれることもある。
【００１５】
システム１００は、様々な通信技術を組み込むことができる。たとえば、システム１００は、ＧＳＭなどの１つまたは複数のＴＤＭＡ規格を実装し得る時分割多元接続（ＴＤＭＡ）システムを備え得る。システム１００はまた、広帯域ＣＤＭＡ（Ｗ−ＣＤＭＡ（登録商標））、ＩＳ−２０００、ＩＳ−８５６、ＩＳ−９５など、１つまたは複数のＣＤＭＡ規格を実装し得る符号分割多元接続（ＣＤＭＡ）システムを備え得る。これらの規格は当技術分野でよく知られている。
【００１６】
制御チャネルの早期復号を実行するための本明細書で説明する技法は、様々なワイヤレス通信システムのために使用され得る。さらに、これらの技法は、ＧＳＭにおけるブロードキャスト制御チャネルおよびページングチャネルなど、様々な制御チャネルのために使用され得る。明瞭のために、これらの技法を、ＧＳＭシステムにおけるページングチャネルに関して以下で具体的に説明する。
【００１７】
図１Ｂに、ＧＳＭにおけるブロードキャスト制御チャネル（ＢＣＣＨ）および共通制御チャネル（ＣＣＣＨ）についての例示的なチャネル編成を示し、そこではダウンリンク送信のためのタイムラインがマルチフレームに分割される。ＢＣＣＨおよびＣＣＣＨ制御チャネルの場合、各マルチフレームは、ＴＤＭＡフレーム０〜５０とラベルをつけられた、５１個のＴＤＭＡフレームに区分される。ＢＣＣＨは、各マルチフレームのＴＤＭＡフレーム２、３、４、および５において送られる。ＣＣＣＨは、図１Ｂに示すように、９つのページングチャネルＰＣＨ１〜ＰＣＨ９を含むものと見なされ得る。各ページングチャネルＰＣＨは、端末のそれぞれのグループをサービスする。各端末は、５１マルチフレーム構造のＮ回の発生ごとにページングチャネルのうちの１つに割り当てられ、Ｎは２から９までである。各端末についてのページングメッセージがもしあれば、割り当てられたページングチャネル上で送られる。
【００１８】
ＧＳＭでは、各ＴＤＭＡフレームは、タイムスロット０〜７とラベルされる８つのタイムスロットにさらに区分される。タイムスロット０は制御チャネルのために使用され、他の７つのタイムスロット１〜７はトラフィックチャネルのために使用される。ＢＣＣＨについてのメッセージは、ＴＤＭＡフレーム２、３、４、および５のタイムスロット０において送信される。第１のページングチャネルであるＰＣＨ１についてのメッセージは、ＴＤＭＡフレーム６、７、８、および９のタイムスロット０において送信される。他のページングチャネルについてのメッセージは、図１Ｂに示すように、それらの関連するＴＤＭＡフレームのタイムスロット０において送信される。各タイムスロットにおける送信は、ＧＳＭでは「バースト」と呼ばれる。
【００１９】
他の制御チャネル編成も、ＢＣＣＨおよびＣＣＣＨを搬送するために使用され得る。ＢＣＣＨおよびＣＣＣＨについてのチャネル編成については、公開されている３ＧＰＰ  ＴＳ０５．０１において詳細に記載されている。
【００２０】
図２は、基地局１１０ｘおよび端末１２０ｘのブロック図である。基地局１１０ｘは、図１Ａに示す基地局のうちの１つを含むことができ、端末１２０ｘは、図１Ａ中の端末のうちの１つを含むことができる。ダウンリンク上で、基地局１１０ｘにおいて、ＴＸデータプロセッサ２１０は、トラフィックチャネルについてのトラフィックデータと制御チャネルについての制御データとを受信し得る。ＴＸデータプロセッサ２１０は、そのチャネルのために指定されたコーディングおよびインターリーブ方式に基づいて各トラフィック／制御チャネルについてのデータをフォーマットし、コーディングし、インターリーブして、トラフィック／制御チャネルに出力データを与え得る。次いで、変調器（ＭＯＤ）２１２は、ＧＳＭによって規定されるように、すべてのトラフィックおよび制御チャネルについての出力データを受信し、処理し、被変調データを与え得る。送信機ユニット（ＴＭＴＲ）２１４は、被変調データを処理してダウンリンク信号を生成し、該ダウンリンク信号は、次いで、アンテナ２１６を介して端末（たとえば、端末１２０ｘ）に送信され得る。
【００２１】
端末１２０ｘにおいて、基地局１１０ｘによって送信されたダウンリンク信号が、アンテナ２５２によって受信され、受信機ユニット（ＲＣＶＲ）２５４に与えられ得る。端末１２０ｘは、複数の基地局から複数のダウンリンク信号を受信し、処理し得る。簡単のために、基地局１１０ｘからのただ１つのダウンリンク信号に関する処理について、以下で説明する。受信機ユニット２５４は、アンテナ２５２からの受信信号を調整し、デジタル化し、データサンプルのストリームを与え得る。次いで、復調器（ＤＥＭＯＤ）２５６は、データサンプルを処理し、復調データを与え得る。ＲＸデータプロセッサ２６０は、復調データをデインターリーブし、復号して、基地局１１０ｘによって送信されたトラフィックおよび制御データを復元し得る。復調器２５６およびＲＸデータプロセッサ２６０による処理は、それぞれ、基地局１１０ｘにおいて変調器２１２およびＴＸデータプロセッサ２１０によって実行される処理に相補的なものである。
【００２２】
コントローラ２２０および２７０は、それぞれ基地局１１０ｘおよび端末１２０ｘにおける動作を指示するように構成され得る。メモリユニット２２２および２７２は、それぞれ、コントローラ２２０および２７０によって使用されるプログラムコードおよびデータのためのストレージを提供する。簡単のために、図２は、ダウンリンク送信のための処理ユニットのみを示し、基地局１１０ｘおよび端末１２０ｘに通常存在する処理ユニットのすべてを示すものではない。
【００２３】
当業者なら諒解するように、ＧＳＭデバイスは、ＧＳＭネットワークプロバイダがデバイスユーザの識別情報を確立するために必要とする情報を記憶する、ＳＩＭ（加入者識別モジュール）カードを含み得る。
【００２４】
本明細書の説明は、２つ以上のＳＩＭと単一の受信機のみとを有するＧＳＭモバイルデバイス（すなわち、移動局）についてのページングチャネル受信を向上させることに関する。本明細書で説明する例示的な実施形態は、ＧＳＭ  ＥＤＧＥ無線アクセスネットワーク（ＧＥＲＡＮ）動作モードの様々な構成について、ページング衝突シナリオに対する解決策を与える。本明細書で説明する例示的な実施形態は、モバイルデバイスが、いつでも１つのＧＳＭ周波数だけを監視することが可能な単一の受信機を含むことを前提としていることに留意されたい。
【００２５】
ブロードキャストパラメータならびにサブスクリプション識別情報（ＩＭＳＩ）は、「通常ページ」モードで動作している間にモバイルデバイスがページング受信についてどの特定の無線ブロックを監視すべきかを定義し得る。共通制御チャネル構成「ＣＣＣＨ−ＣＯＮＦ」と呼ばれる１つのパラメータが、ネットワークが結合（ＣＣＣＨ＋ＳＤＣＣＨ）構成を使用しているのか、非結合構成を使用しているのかを定義し得る。非結合構成の場合、このパラメータは、また、ＢＣＣＨ周波数上の共通制御の数を定義し得る。第１の共通制御チャネルはタイムスロット０上にあり得、第２の共通制御チャネルはタイムスロット２上にあり得、第３の共通制御チャネルはタイムスロット４上にあり得、第４の共通制御チャネルはタイムスロット６上にあり得る。最低でも、１つの共通制御チャネルが存在する。
【００２６】
「ＢＳ−ＡＧ−ＢＬＫＳ−ＲＥＳ」と呼ばれる別のパラメータは、アクセスグラントチャネル（ＡＧＣＨ）のために排他的に予約されるダウンリンク無線ブロックの数を定義し得る。ＢＳ−ＡＧ−ＢＬＫＳ−ＲＥＳは、非結合ＣＣＣＨの場合、０〜７であり、結合ＣＣＣＨの場合、０〜３であり得る。さらに、「ＢＳ−ＰＡ−ＭＦＲＭＳ」と呼ばれる別のパラメータが、モバイルデバイスについてのページングブロックの繰返しレートを定義し得る。「ＢＳ−ＰＡ−ＭＦＲＭＳ」は、２〜９の範囲の５１マルチフレームを有し得る。
【００２７】
さらに、以下に示すように、サブスクリプションについて監視するために必要な正確な無線ブロックを計算するために、追加のパラメータがサブスクリプション識別情報（ＩＭＳＩ）とともに移動局によって使用され得る。これらの追加のパラメータは、共通制御チャネル構成グループ「ＣＣＣＨ＿ＧＲＯＵＰ」、ページンググループ「ＰＡＧＩＮＧ＿ＧＲＯＵＰ」、およびページングブロックインデックス「ＰＡＧＩＮＧ＿ＢＬＯＣＫ」を含む。「ＣＣＣＨ＿ＧＲＯＵＰ」は、ページングに関して、ＡＧＣＨに関して、およびＲＡＣＨを送信することに関して監視するために、どの共通制御チャネルが使用されるかを定義し得る。「ＣＣＣＨ＿ＧＲＯＵＰ」は０〜３の範囲内にあり得る。「ＰＡＧＩＮＧ＿ＧＲＯＵＰ」は、ページングの目的でどの５１マルチフレームを監視すべきかを定義し得、「ＰＡＧＩＮＧ＿ＢＬＯＣＫ」は、ページング目的で５１マルチフレーム中のどの無線ブロックを監視すべきかを定義し得る。
【００２８】
図３は、単一のページングサブチャネルＰＳＣについての共通制御チャネル構成グループ「ＣＣＣＨ＿ＧＲＯＵＰ」Ｇ０〜Ｇ３、ページンググループ「ＰＡＧＩＮＧ＿ＧＲＯＵＰ」ＰＧ０〜ＰＧ４、およびページングブロックインデックス「ＰＡＧＩＮＧ＿ＢＬＯＣＫ」ＰＢを示す図である。当業者には諒解されるように、各ＰＡＧＩＮＧ＿ＢＬＯＣＫ  ＰＢは、１〜４のモバイルページを備え得る。図４Ａに、セルＡ上の第１のサブスクリプションＳｕｂ１と、セルＢ上の第２のサブスクリプションＳｕｂ２とを有する移動局４０２を示す。図４Ｂに、単一のセルＣ上の第１のサブスクリプションＳｕｂ１と第２のサブスクリプションＳｕｂ２との両方を有する移動局４０２を示す。
【００２９】
図５は、１つまたは複数の例示的な実施形態による、方法４９０を示すフローチャートである。方法４９０は、第１のサブスクリプションと少なくとも第２サブスクリプションとの間のページング衝突シナリオを検出することを含み得る（番号４９２によって示される）。方法４９０は、第１のサブスクリプションと少なくとも第２サブスクリプションとの間のページング衝突を回避するために、第１のサブスクリプションと少なくとも第２サブスクリプションとのうちの少なくとも１つのページ読取り操作を修正することをさらに含み得る（番号４９４によって示される）。
【００３０】
次に、様々なページング衝突シナリオについて、またさらに衝突シナリオに対して企図される解決策について、図３〜図１０を参照しながら説明する。１つのシナリオでは、２つのサブスクリプション（たとえば、サブスクリプションＳｕｂ１およびＳｕｂ２）は、異なるネットワークに割り当てられる。より詳細には、一例として、サブスクリプションＳｕｂ１は第１のネットワークによってサービスされ、サブスクリプションＳｕｂ２は第２の異なるネットワークによってサービスされる。このシナリオは、各サブスクリプションが異なるネットワーク（すなわち、異なる物理ネットワークプロバイダ）によってサービスされる場合に可能となり得ることに留意されたい。このシナリオでは、衝突が生じた場合、交互サブスクリプションページブロックが読み取られ得る。より詳細には、サブスクリプションＳｕｂ１についてのＰＡＧＩＮＧ＿ＢＬＯＣＫ  ＰＢは、ページングサブチャネルの１つのページング期間中に読み取られ得、サブスクリプションＳｕｂ２についてのＰＡＧＩＮＧ＿ＢＬＯＣＫ  ＰＢは、ページングサブチャネルの後続のページング期間中に読み取られ得る。
【００３１】
図６は、１つまたは複数の例示的な実施形態による、方法５００を示すフローチャートである。方法５００は、１つのページングサブチャネル中に第１のサブスクリプションについてのＰＡＧＩＮＧ＿ＢＬＯＣＫを読み取ることを含み得る（番号５０２によって示される）。方法５００は、後続のページングサブチャネル中に第２のサブスクリプションについてのＰＡＧＩＮＧ＿ＢＬＯＣＫを読み取ることをさらに含み得る（番号５０４によって示される）。
【００３２】
別のシナリオでは、２つのサブスクリプションは、同じネットワークに割り当てられ得るが、単一のロケーションエリアに属する異なるセルに関連付けられる。より詳細には、一例として、サブスクリプションＳｕｂ１はセルＡに割り当てられ得、サブスクリプションＳｕｂ２はセルＢに割り当てられ得、ここで、サブスクリプションＳｕｂ１およびサブスクリプションＳｕｂ２は共通のネットワークに割り当てられ、セルＡおよびセルＢは単一のロケーションエリア内に配置される。このシナリオは、１つのサブスクリプションが他のサブスクリプションと同じセルに「キャンプオン」することができない場合に発生し得ることに留意されたい。さらに、このシナリオでは、２つのセルは、移動局４０２の受信機が両方のページングブロックを監視することができないような方法で構成される。このシナリオに対する１つの企図される解決策は、衝突が生じた場合に交互サブスクリプションページブロックを読み取ることを含む。より詳細には、サブスクリプションＳｕｂ１についてのＰＡＧＩＮＧ＿ＢＬＯＣＫ  ＰＢは、１つのページングサブチャネル（たとえば、ページングサブチャネルＰＳＣ）中に読み取られることができ、サブスクリプションＳｕｂ２についてのＰＡＧＩＮＧ＿ＢＬＯＣＫ  ＰＢは、後続のページングサブチャネル中に読み取られることができる。
【００３３】
さらに、ネットワークは、モバイルデバイスがどのセルにリンクされるのかいつでも知っているわけではないので、モバイル着信動作に関して、音声通話ネットワークは、ロケーションエリア全体においてモバイルデバイスをページングし得る。たとえば、図４Ａを特に参照して、サブスクリプションＳｕｂ１がセルＡに「キャンプオン」され、サブスクリプションＳｕｂ２がセルＢに「キャンプオン」されると考える。さらに、セルＡおよびセルＢは、同じネットワークに属し、同じロケーションエリア内にある。別の企図される解決策は、当業者には諒解されるように、セルＡからのパラメータを使用する、サブスクリプションＡおよびサブスクリプションＢの各々について共通制御チャネル（ＣＣＣＨ）グループ「ＣＣＣＨ＿ＧＲＯＵＰ」（すなわち、グループＧ０〜Ｇ３のうちの１つ）およびページンググループ「ＰＡＧＩＮＧ＿ＧＲＯＵＰ」（すなわち、ＰＧ０〜ＰＧ４のうちの１つ）を計算することを含む。ＣＣＣＨ＿ＧＲＯＵＰとＰＡＧＩＮＧ＿ＧＲＯＵＰとが各々セルについて同じである場合、モバイルデバイス４０２は、セルＡからのページング情報を共有し得る。同様に、セルＢからのパラメータを使用するサブスクリプションＳｕｂ１およびサブスクリプションＳｕｂ２の各々についてのＣＣＣＨ＿ＧＲＯＵＰおよびＰＡＧＩＮＧ＿ＧＲＯＵＰが計算され得る。ＣＣＣＨ＿ＧＲＯＵＰとＰＡＧＩＮＧ＿ＧＲＯＵＰとが各セルについて同じである場合、モバイルデバイス４０２はセルＢからのページング情報を共有し得る。
【００３４】
図７は、１つまたは複数の例示的な実施形態による、方法５１０を示すフローチャートである。方法５１０は、第１のセルの１つまたは複数のパラメータに従って、第１のサブスクリプションおよび第２のサブスクリプションの各々についてのＣＣＣＨ＿ＧＲＯＵＰおよびＰＡＧＩＮＧ＿ＧＲＯＵＰを決定することを含み得る（番号５１２によって示される）。方法５００は、第１のサブスクリプションについての決定されたＣＣＣＨ＿ＧＲＯＵＰおよびＰＡＧＩＮＧ＿ＧＲＯＵＰが、それぞれ第２のサブスクリプションについての決定されたＣＣＣＨ＿ＧＲＯＵＰおよびＰＡＧＩＮＧ＿ＧＲＯＵＰと同じである場合、第１のセルから第２の異なるセルへとページング情報を共有することをさらに含み得る（番号５１４によって示される）。
【００３５】
別のシナリオは、同じネットワークであるが、２つの異なるロケーションエリアに属する異なるセルに割り当てられた、２つのサブスクリプションを含む。より具体的には、一例として、サブスクリプションＳｕｂ１がセルＡに割り当てられることができ、サブスクリプションＳｕｂ２がセルＢに割り当てられることができ、ここで、セルＡはセルＢとは異なるロケーションエリア内にある。このシナリオは、１つのサブスクリプションが他のサブスクリプションと同じセルに「キャンプオン」することができないことから生じ得る。このシナリオに関与する衝突に対する企図される解決策は、交互サブスクリプションページブロックを読み取ることを含み得る。より具体的には、サブスクリプションＳｕｂ１についてのＰＡＧＩＮＧ＿ＢＬＯＣＫ  ＰＢが１つのページングサブチャネル（たとえば、ページングサブチャネルＰＳＣ）中に読み取られることができ、サブスクリプションＳｕｂ２についてのＰＡＧＩＮＧ＿ＢＬＯＣＫ  ＰＢが後続のページングサブチャネル中に読み取られることができる。
【００３６】
別のシナリオでは、サブスクリプション（たとえば、サブスクリプションＳｕｂ１およびサブスクリプションＳｕｂ２）は、同じセル（たとえば、セルＣ、図４Ｂ参照）に「キャンプオン」され得るが、異なる共通制御チャネル（ＣＣＣＨ）グループ「ＣＣＣＨ＿ＧＲＯＵＰ」（Ｇ０〜Ｇ３）を有し得る。このシナリオは、異なるＩＭＳＩにより可能となり得る。設計制限により、単一の無線ブロック内での２つ以上のタイムスロットのページング受信が可能になり得ず、したがって、永続的衝突が生じ得ることにさらに留意されたい。このシナリオに関与する衝突に対する企図される解決策は、交互サブスクリプションページブロック読取りを含み得る。より具体的には、サブスクリプションＳｕｂ１についてのＰＡＧＩＮＧ＿ＢＬＯＣＫ  ＰＢは、１つのページングサブチャネル（たとえば、ページングサブチャネルＰＳＣ）中に読み取られることができ、サブスクリプションＳｕｂ２についてのＰＡＧＩＮＧ＿ＢＬＯＣＫ  ＰＢは、後続のページングサブチャネル中に読み取られることができる。このシナリオ、および関連する解決策では、ページンググループおよびページングブロックインデックスが無関係であり得ることに留意されたい。
【００３７】
別のシナリオは、同じセル（たとえば、セルＣ）に「キャンプオン」され、同じＣＣＣＨ＿ＧＲＯＵＰ（Ｇ０〜Ｇ３）および同じＰＡＧＩＮＧ＿ＧＲＯＵＰ（ＰＧ０〜ＰＧ４）内にあるサブスクリプション（たとえば、サブスクリプションＳｕｂ１およびサブスクリプションＳｕｂ２）を含み得る。このシナリオは、異なるＩＭＳＩにより可能となり得る。両方のサブスクリプション（たとえば、サブスクリプションＳｕｂ１およびサブスクリプションＳｕｂ２）が同じページングブロックを監視していることがあることに留意されたい。企図される解決策は、１つのサブスクリプションについての受信されたページングを他のサブスクリプションと共有することを伴い得る。言い換えれば、たとえば、サブスクリプションＳｕｂ１を用いて受信された情報が、サブスクリプションＳｕｂ２と共有され得る。サービングセルとネイバーセルとの電力測定値およびシステム情報さえ、１つのサブスクリプションから別のサブスクリプションへと共有され得る。すべての情報を共有することは、１つのサブスクリプションのみによる再選択を防止し得る。
【００３８】
図８は、１つまたは複数の例示的な実施形態による、方法５２０を示すフローチャートである。方法５２０は、単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することを含み得る（番号５２２によって示される）。方法５２０は、第１のサブスクリプションについての決定されたＣＣＣＨ＿ＧＲＯＵＰおよびＰＡＧＩＮＧ＿ＧＲＯＵＰが、それぞれ第２のサブスクリプションについての決定されたＣＣＣＨ＿ＧＲＯＵＰおよびＰＡＧＩＮＧ＿ＧＲＯＵＰと同じである場合、第１のサブスクリプションまたは第２のサブスクリプションのいずれかから他のサブスクリプションへとページング情報を共有することをさらに含み得る（番号５２４によって示される）。
【００３９】
さらに別のシナリオは、同じセル（たとえば、セルＣ）に「キャンプオン」され、同じＣＣＣＨ＿ＧＲＯＵＰ（Ｇ０〜Ｇ３）内であるが異なるＰＡＧＩＮＧ＿ＧＲＯＵＰＳ（ＰＧ０〜ＰＧ４）内のサブスクリプション（たとえば、サブスクリプションＳｕｂ１およびサブスクリプションＳｕｂ２）を含み得る。このシナリオは、異なるＩＭＳＩにより可能となり得る。従来のシステム設計では、２つのサブスクリプションについてのページブロックが互いに隣接する（すなわち、１だけ異なるページングインデックス）ときに、ページング衝突が生じ得る。これは、２つのページングチャネルがレイヤＬ１によって別々に扱われ、２つのチャネル間の切替えが２つ以上のＴＤＭＡを必要とすることがあり、したがって、ページングブロックの直後に無線ブロックを監視することが可能でないことがあるという事実に起因する。
【００４０】
このシナリオに関与する衝突に対して企図される１つの解決策は、交互サブスクリプションページブロック読取りを含み得る。より具体的には、サブスクリプションＳｕｂ１についてのＰＡＧＩＮＧ＿ＢＬＯＣＫ  ＰＢは、１つのページングサブチャネル（たとえば、ページングサブチャネルＰＳＣ）中に読み取られることができ、サブスクリプションＳｕｂ２についてのＰＡＧＩＮＧ＿ＢＬＯＣＫ  ＰＢは、後続のページングサブチャネル中に読み取られることができる。別の企図される解決策は、設計変更を必要とし得る、２つの連続するページを読み取ることを含み得る。少なくとも１つの無線ブロック間隔が２つのページブロック間に存在する場合、両方のページングブロックを受信することが可能となり得ることに留意されたい。
【００４１】
図９は、１つまたは複数の例示的な実施形態による、方法５３０を示すフローチャートである。方法５３０は、単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することを含み得る（番号５３２によって示される）。方法５３０は、第１のサブスクリプションについての決定されたＣＣＣＨ＿ＧＲＯＵＰが、第２のサブスクリプションについての決定されたＣＣＣＨ＿ＧＲＯＵＰと同じであり、第１のサブスクリプションについての決定されたＰＡＧＩＮＧ＿ＧＲＯＵＰが、第２のサブスクリプションについての決定されたＰＡＧＩＮＧ＿ＧＲＯＵＰと同じでない場合、決定されたＣＣＣＨ＿ＧＲＯＵＰ内の連続するページを読み取ることをさらに含み得る（番号５３４によって示される）。
【００４２】
次に、図４Ａを特に参照して、２つの異なるセル（すなわち、セルＡおよびセルＢ）にキャンプオンされるデュアルサブスクリプションをもつモバイルデバイス４０２の例示的な動作について説明する。この例では、サブスクリプションＳｕｂ１はセルＡにキャンプオンされ、サブスクリプションＳｕｂ３はセルＢにキャンプオンされる。当業者には諒解されるように、モバイルデバイス４０２は、セルＡおよびセルＢの各々についてのサブスクリプションＡおよびサブスクリプションＢに関するＣＣＣＨ＿ＧＲＯＵＰ（Ｇ０〜Ｇ３）およびＰＡＧＩＮＧ＿ＧＲＯＵＰ（ＰＧ０〜ＰＧ４）を計算し得る。
【００４３】
第１のパラメータＣＣＣＨ＿ＧＲＯＵＰ＿１Ａは、セルＡからのブロードキャストパラメータを使用するサブスクリプションＳｕｂ１についてのＣＣＣＨ＿ＧＲＯＵＰであり、第２のパラメータＰＡＧＩＮＧ＿ＧＲＯＵＰ＿１Ａは、セルＡからのブロードキャストパラメータを使用するサブスクリプションＳｕｂ１についてのＰＡＧＩＮＧ＿ＧＲＯＵＰである。第３のパラメータＣＣＣＨ＿ＧＲＯＵＰ＿１Ｂは、セルＢからのブロードキャストパラメータを使用するサブスクリプションＳｕｂ１についてのＣＣＣＨ＿ＧＲＯＵＰであり、第４のパラメータＰＡＧＩＮＧ＿ＧＲＯＵＰ＿１Ｂは、セルＢからのブロードキャストパラメータを使用するサブスクリプションＳｕｂ１についてのＰＡＧＩＮＧ＿ＧＲＯＵＰである。第５のパラメータＣＣＣＨ＿ＧＲＯＵＰ＿２Ａは、セルＡからのブロードキャストパラメータを使用するサブスクリプションＳｕｂ２についてのＣＣＣＨ＿ＧＲＯＵＰであり、第６のパラメータＰＡＧＩＮＧ＿ＧＲＯＵＰ＿２Ａは、セルＡからのブロードキャストパラメータを使用するサブスクリプションＳｕｂ２についてのＰＡＧＩＮＧ＿ＧＲＯＵＰである。さらに、第７のパラメータＣＣＣＨ＿ＧＲＯＵＰ＿２Ｂは、セルＢからのブロードキャストパラメータを使用するサブスクリプションＳｕｂ２についてのＣＣＣＨ＿ＧＲＯＵＰであり、第８のパラメータＰＡＧＩＮＧ＿ＧＲＯＵＰ＿２Ｂは、セルＢからのブロードキャストパラメータを使用するサブスクリプションＳｕｂ２についてのＰＡＧＩＮＧ＿ＧＲＯＵＰである。
【００４４】
第１のパラメータＣＣＣＨ＿ＧＲＯＵＰ＿１Ａが第５のパラメータＣＣＣＨ＿ＧＲＯＵＰ＿２Ａに等しく、第２のパラメータＰＡＧＩＮＧ＿ＧＲＯＵＰ＿１Ａが第６のパラメータＰＡＧＩＮＧ＿ＧＲＯＵＰ＿２Ａに等しい場合、または、第３のパラメータＣＣＣＨ＿ＧＲＯＵＰ＿１Ｂが第７のパラメータＣＣＣＨ＿ＧＲＯＵＰ＿２Ｂに等しく、第４のパラメータＰＡＧＩＮＧ＿ＧＲＯＵＰ＿１Ｂが第８のパラメータＰＡＧＩＮＧ＿ＧＲＯＵＰ＿２Ｂに等しい場合、モバイルデバイス４０２は、１つのセルからのページングメッセージを両方のサブスクリプションＳｕｂ１およびＳｕｂ２と共有し得る。
【００４５】
図１０は、１つまたは複数の例示的な実施形態による、方法５４０を示すフローチャートである。方法５４０は、単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することを含み得る（番号５４２によって示される）。方法５４０は、第１のサブスクリプションについての決定されたＣＣＣＨ＿ＧＲＯＵＰが、第２のサブスクリプションについての決定されたＣＣＣＨ＿ＧＲＯＵＰと異なり、第１のサブスクリプションについての決定されたＰＡＧＩＮＧ＿ＧＲＯＵＰが、第２のサブスクリプションについての決定されたＰＡＧＩＮＧ＿ＧＲＯＵＰと同じである場合、決定されたＣＣＣＨ＿ＧＲＯＵＰからインターリーブされたページを読み取ることをさらに含み得る（番号５４４によって示される）。
【００４６】
図１１は、１つまたは複数の例示的な実施形態による、さらに別の方法５５０を示すフローチャートである。方法５５０は、第１のサブスクリプションおよび第２のサブスクリプションの各々についてのＣＣＣＨ＿ＧＲＯＵＰ、ＰＡＧＩＮＧ＿ＧＲＯＵＰ、およびＰＡＧＩＮＧ＿ＢＬＯＣＫを決定することを含み得る（番号５５２によって示される）。方法５５０は、第１のサブスクリプションおよび第２のサブスクリプションを登録することをさらに含み得る（番号５５４によって示される）。さらに、方法５５０は、第１のサブスクリプションと第２のサブスクリプションが別々のセル上にあるか、単一のセル上にあるかを決定することを含み得る（番号５５６によって示される）。第１のサブスクリプションと第２のサブスクリプションが別々のセル上にない場合、ステップ５５８に進む。第１のサブスクリプションと第２のサブスクリプションが同じセル上にある場合、ステップ５６０に進む。
【００４７】
ステップ５５８から、方法５５０は、第１のサブスクリプションと第２のサブスクリプションが同じＣＣＣＨ＿ＧＲＯＵＰを有するかどうかを決定することを含む（番号５５８によって示される）。同じＣＣＣＨ＿ＧＲＯＵＰを有する場合、方法５５０はステップ５６２に進む。第１のサブスクリプションと第２のサブスクリプションが異なるＣＣＣＨ＿ＧＲＯＵＰを有する場合、方法５５０はステップ５５９に進む。ステップ５６２から、方法５５０は、第１のサブスクリプションと第２のサブスクリプションが同じＰＡＧＩＮＧ＿ＧＲＯＵＰを有するかどうかを決定することを含む（番号５６２によって示される）。同じＰＡＧＩＮＧ＿ＧＲＯＵＰを有する場合、方法５５０はステップ５６６に進む。第１のサブスクリプションと第２のサブスクリプションが異なるＰＡＧＩＮＧ＿ＧＲＯＵＰを有する場合、方法５５０はステップ５６８に進む。
【００４８】
ステップ５５９に戻ると、方法５５０は、第１のサブスクリプションと第２のサブスクリプションが同じＰＡＧＩＮＧ＿ＧＲＯＵＰを有するかどうかを決定することを含む（番号５５９によって示される）。同じＰＡＧＩＮＧ＿ＧＲＯＵＰを有する場合、方法５５０はステップ５７６に進む。第１のサブスクリプションと第２のサブスクリプションが異なるＰＡＧＩＮＧ＿ＧＲＯＵＰを有する場合、方法５５０はステップ５６８に進む。
【００４９】
ステップ５６０に戻ると、方法５５０は、第１のサブスクリプションと第２のサブスクリプションが異なるネットワークに割り当てられるかどうかを決定することを含み得る（番号５６０によって示される）。異なるネットワークに割り当てられる場合、方法５５０はステップ５６４に進む。第１のサブスクリプションと第２のサブスクリプションが異なるネットワークに割り当てられない場合、方法５５０はステップ５７０に進み、２つの異なるセルが共通のロケーションエリア内にあるかどうかが決定される（番号５７０によって示される）。共通のロケーションエリア内にある場合、方法５５０はステップ５７２に進み、第１のサブスクリプションについてのＣＣＣＨ＿ＧＲＯＵＰおよびＰＡＧＩＮＧ＿ＧＲＯＵＰが、それぞれ第２のサブスクリプションについての決定されたＣＣＣＨ＿ＧＲＯＵＰおよびＰＡＧＩＮＧ＿ＧＲＯＵＰと同じであるかどうかが決定される。同じである場合、方法５５０はステップ５７４に進む。同じでない場合、方法５５０はステップ５６４に進む。同じでない場合、方法５５０はステップ５６４に進む。ステップ５７０に戻り、２つの異なるセルが共通のロケーションエリア内にない場合、方法５５０はステップ５６４に進む。
【００５０】
本明細書で提示する様々な例示的な実施形態について、ＧＳＭ＋ＧＳＭデュアルＳＩＭ対応デバイスにおけるページ処理技法に関して説明したが、例示的な実施形態は、ＷＣＤＭＡ（登録商標）＋ＷＣＤＭＡ、およびＣＤＭＡ２０００＋ＣＤＭＡ２００対応マルチＳＩＭデバイスにも同様に適用可能である。
【００５１】
情報および信号は多種多様な技術および技法のいずれかを使用して表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５２】
さらに、本明細書で開示した例示的な実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本発明の例示的な実施形態の範囲からの逸脱を生じるものと解釈すべきではない。
【００５３】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００５４】
１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの移動を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）(登録商標）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００５５】
開示した例示的な実施形態の前述の説明は、当業者が本発明を製作または使用できるように提供したものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書に示す例示的な実施形態に限定されるものではなく、本明細書で開示する原理および新規の特徴と一致する最も広い範囲を与えられるべきである。
以下に、本願の出願当初請求項に記載された発明を付記する。
［Ｃ１］
第１のサブスクリプションと第２のサブスクリプションとの間のページング衝突シナリオを検出することと、
前記第１のサブスクリプションと前記第２のサブスクリプションとの間のページング衝突を回避するために、前記第１のサブスクリプションと前記第２のサブスクリプションとのうちの少なくとも１つのページ読取り操作を修正することと
を備える、方法。
［Ｃ２］
前記修正することが、
ページングサブチャネルの１つのページング期間中に、前記第１のサブスクリプションについてのページングブロックインデックスを読み取ることと、
前記ページングサブチャネル上の後続のページング期間中に、前記第２のサブスクリプションについてのページングブロックインデックスを読み取ることと
を含む、上記［Ｃ１］に記載の方法。
［Ｃ３］
前記修正することは、前記第１のサブスクリプションについての決定された共通制御チャネル構成グループおよびページンググループが、それぞれ前記第２のサブスクリプションについての決定された共通制御チャネル構成グループおよびページンググループと同じである場合、前記第１のサブスクリプションまたは前記第２のサブスクリプションのいずれかから他のサブスクリプションへと受信したページング情報を共有することを含む、上記［Ｃ１］に記載の方法。
［Ｃ４］
前記修正することは、前記第１のサブスクリプションについての決定された共通制御チャネル構成グループおよびページンググループが、それぞれ前記第２のサブスクリプションについての決定された共通制御チャネル構成グループおよびページンググループと同じである場合、第１のセルから第２の異なるセルへと受信したページング情報を共有することを含む、上記［Ｃ１］に記載の方法。
［Ｃ５］
前記修正することは、前記第１のサブスクリプションについての決定された共通制御チャネル構成グループが前記第２のサブスクリプションについての決定された共通制御チャネル構成グループと同じであり、前記第１のサブスクリプションについての決定されたページンググループが前記第２のサブスクリプションについての決定されたページンググループと同じでない場合、決定された共通制御チャネル構成グループから連続するページを読み取ることを含む、上記［Ｃ１］に記載の方法。
［Ｃ６］
前記修正することは、前記第１のサブスクリプションについての決定された共通制御チャネル構成グループが前記第２のサブスクリプションについての決定された共通制御チャネル構成グループとは異なり、前記第１のサブスクリプションについての決定されたページンググループが前記第２のサブスクリプションについての決定されたページンググループと同じである場合、決定された共通制御チャネル構成グループからインターリーブされたページを読み取ることを含む、上記［Ｃ１］に記載の方法。
［Ｃ７］
第１のサブスクリプションと第２のサブスクリプションとの間の潜在的なページング衝突を検出するための手段と、
前記第１のサブスクリプションと前記第２のサブスクリプションとの間のページング衝突を回避するために、前記第１のサブスクリプションと前記第２のサブスクリプションとのうちの少なくとも１つのページ読取り操作を修正するための手段と
を備える、デバイス。
［Ｃ８］
コンピュータ上で実行されたときに、
第１のサブスクリプションと第２のサブスクリプションとの間の潜在的なページング衝突を検出することと、
前記第１のサブスクリプションと前記第２のサブスクリプションとの間のページング衝突を回避するために、前記第１のサブスクリプションと前記第２のサブスクリプションとのうちの少なくとも１つのページ読取り操作を修正することと
を備える動作を実行するコンピュータ実行可能命令を含む、非一時的コンピュータ可読媒体。
［Ｃ９］
ページングサブチャネルの１つのページング期間中に、第１のサブスクリプションについてのページングブロックインデックスを読み取ることと、
前記ページングサブチャネル上の後続のページング期間中に、第２のサブスクリプションについてのページングブロックインデックスを読み取ることと
を備える、方法。
［Ｃ１０］
単一のセルに関連する前記第１のサブスクリプションおよび前記第２のサブスクリプションの各々についての共通制御チャネル構成グループおよびページンググループを決定することをさらに備える、上記［Ｃ９］に記載の方法。
［Ｃ１１］
第１のセルに関連するパラメータをもつ前記第１のサブスクリプションについての共通制御チャネル構成グループおよびページンググループ、ならびに第２のセルに関連するパラメータをもつ前記第２のサブスクリプションについての共通制御チャネル構成グループおよびページンググループを決定することをさらに備える、上記［Ｃ９］に記載の方法。
［Ｃ１２］
前記第１のサブスクリプションおよび前記第２のサブスクリプションが単一のネットワークに関連するかどうかを決定することをさらに備える、上記［Ｃ１１］に記載の方法。
［Ｃ１３］
前記第２のセルに関連するパラメータをもつ前記第１のサブスクリプションについての共通制御チャネル構成グループおよびページンググループを決定することをさらに備える、上記［Ｃ１１］に記載の方法。
［Ｃ１４］
前記第１のセルに関連するパラメータをもつ前記第２のサブスクリプションについての共通制御チャネル構成グループおよびページンググループを決定することをさらに備える、上記［Ｃ１１］に記載の方法。
［Ｃ１５］
第２のサブスクリプションについての前記ページングブロックインデックスを前記読み取ることが、前記第１のサブスクリプションのサブスクリプション識別情報とは異なるサブスクリプション識別情報を有する第２のサブスクリプションについての前記ページングブロックインデックスを読み取ることを含む、上記［Ｃ９］に記載の方法。
［Ｃ１６］
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループおよびページンググループが、それぞれ前記第２のサブスクリプションについての決定された共通制御チャネル構成グループおよびページンググループと同じである場合、前記第１のサブスクリプションまたは前記第２のサブスクリプションのいずれかから他のサブスクリプションへと受信したページング情報を共有することと
を備える、方法。
［Ｃ１７］
前記決定することが、前記第２のサブスクリプションのサブスクリプション識別情報とは異なるサブスクリプション識別情報を有する第１のサブスクリプションについての共通制御チャネル構成グループおよびページンググループを決定することを含む、上記［Ｃ１６］に記載の方法。
［Ｃ１８］
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループが前記第２のサブスクリプションについての決定された共通制御チャネル構成グループと同じであり、前記第１のサブスクリプションについての決定されたページンググループが前記第２のサブスクリプションについての決定されたページンググループと同じでない場合、決定された共通制御チャネル構成グループから連続するページを読み取ることと
を備える、方法。
［Ｃ１９］
前記決定することが、前記第２のサブスクリプションのサブスクリプション識別情報とは異なるサブスクリプション識別情報を有する第１のサブスクリプションについての共通制御チャネル構成グループおよびページンググループを決定することを含む、上記［Ｃ１８］に記載の方法。
［Ｃ２０］
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループが前記第２のサブスクリプションについての決定された共通制御チャネル構成グループとは異なり、前記第１のサブスクリプションについての決定されたページンググループが前記第２のサブスクリプションについての決定されたページンググループと同じである場合、決定された共通制御チャネル構成グループからインターリーブされたページを読み取ることと
を備える、方法。
［Ｃ２１］
複数の通信デバイスが少なくとも１つの他の通信デバイスと通信することができる、前記複数の通信デバイスを備える通信ネットワークにおける製造品であって、第１のサブスクリプションと第２のサブスクリプションとの間のページング衝突シナリオを検出することと、前記第１のサブスクリプションと前記第２のサブスクリプションとの間のページング衝突を回避するために、前記第１のサブスクリプションと前記第２のサブスクリプションとのうちの少なくとも１つのページ読取り操作を修正することとを行うように構成された１つまたは複数のプロセッサを備える、製造品。
［Ｃ２２］
複数の通信デバイスが少なくとも１つの他の通信デバイスと通信することができる、前記複数の通信デバイスを備える通信ネットワークにおける製造品であって、
ページングサブチャネルの１つのページング期間中に、第１のサブスクリプションについてのページングブロックインデックスを読み取ることと、
前記ページングサブチャネル上の後続のページング期間中に、第２のサブスクリプションについてのページングブロックインデックスを読み取ることと
を行うように構成された１つまたは複数のプロセッサを備える、製造品。
［Ｃ２３］
複数の通信デバイスが少なくとも１つの他の通信デバイスと通信することができる、前記複数の通信デバイスを備える通信ネットワークにおける製造品であって、
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループおよびページンググループが、それぞれ前記第２のサブスクリプションについての決定された共通制御チャネル構成グループおよびページンググループと同じである場合、前記第１のサブスクリプションまたは前記第２のサブスクリプションのいずれかから他のサブスクリプションへと受信したページング情報を共有することと
を行うように構成された１つまたは複数のプロセッサを備える、製造品。
［Ｃ２４］
複数の通信デバイスが少なくとも１つの他の通信デバイスと通信することができる、前記複数の通信デバイスを備える通信ネットワークにおける製造品であって、
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループが前記第２のサブスクリプションについての決定された共通制御チャネル構成グループと同じであり、前記第１のサブスクリプションについての決定されたページンググループが前記第２のサブスクリプションについての決定されたページンググループと同じでない場合、決定された共通制御チャネル構成グループから連続するページを読み取ることと
を行うように構成された１つまたは複数のプロセッサを備える、製造品。
［Ｃ２５］
複数の通信デバイスが少なくとも１つの他の通信デバイスと通信することができる、前記複数の通信デバイスを備える通信ネットワークにおける製造品であって、
単一のセルに関連する第１のサブスクリプションおよび第２のサブスクリプションの各々についての共通制御チャネル構成グループおよびページンググループを決定することと、
前記第１のサブスクリプションについての決定された共通制御チャネル構成グループが前記第２のサブスクリプションについての決定された共通制御チャネル構成グループとは異なり、前記第１のサブスクリプションについての決定されたページンググループが、前記第２のサブスクリプションについての決定されたページンググループと同じである場合、決定された共通制御チャネル構成グループからインターリーブされたページを読み取ることと
を行うように構成された１つまたは複数のプロセッサを備える、製造品。
［Ｃ２６］
第１のサブスクリプションと少なくとも第２のサブスクリプションとの間のページング衝突シナリオを検出することと、
前記第１のサブスクリプションと少なくとも前記第２のサブスクリプションとの間のページング衝突を回避するために、前記第１のサブスクリプションと少なくとも前記第２のサブスクリプションとのうちの少なくとも１つのページ読取り操作を修正することであって、前記修正することが、
ページングサブチャネルの１つのページング期間中に、前記第１のサブスクリプションについてのページングブロックインデックス（ＰＡＧＩＮＧ＿ＢＬＯＣＫ）を読み取ることと、
前記ページングサブチャネル上の後続のページング期間中に、前記第２のサブスクリプションについてのＰＡＧＩＮＧ＿ＢＬＯＣＫを読み取ることと
を含む、修正することと
を備える、方法。
［Ｃ２７］
前記修正することが、前記第１のサブスクリプションについての決定された共通制御チャネル構成グループ（ＣＣＣＨ＿ＧＲＯＵＰ）およびページンググループ（ＰＡＧＩＮＧ＿ＧＲＯＵＰ）が、それぞれ前記第２のサブスクリプションについての決定されたＣＣＣＨ＿ＧＲＯＵＰおよびＰＡＧＩＮＧ＿ＧＲＯＵＰと同じである場合、前記第１のサブスクリプションまたは前記第２のサブスクリプションのいずれかから他のサブスクリプションへと受信したページング情報を共有することを含む、上記［Ｃ２６］に記載の方法。
［Ｃ２８］
前記修正することは、前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のセルから第２の異なるセルへと受信されたページング情報を共有することを含む、上記［Ｃ１］に記載の方法。
［Ｃ２９］
前記修正することは、前記第１のサブスクリプションについての決定されたＣＣＣＨ＿ＧＲＯＵＰが前記第２のサブスクリプションについての決定されたＣＣＣＨ＿ＧＲＯＵＰと同じであり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じでない場合、決定されたＣＣＣＨ＿ＧＲＯＵＰから連続するページを読み取ることを含む、上記［Ｃ１］に記載の方法。
［Ｃ３０］
前記修正することは、前記第１のサブスクリプションについての決定されたＣＣＣＨ＿ＧＲＯＵＰが前記第２のサブスクリプションについての決定されたＣＣＣＨ＿ＧＲＯＵＰとは異なり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じである場合、決定されたＣＣＣＨ＿ＧＲＯＵＰからインターリーブされたページを読み取ることを備える、上記［Ｃ１］に記載の方法。
［Ｃ３１］
ページングサブチャネルの１つのページング期間中に、第１のサブスクリプションについてのページングブロックインデックス（ＰＡＧＩＮＧ＿ＢＬＯＣＫ）を読み取ることと、
前記ページングサブチャネル上の後続のページング期間中に、第２のサブスクリプションについてのＰＡＧＩＮＧ＿ＢＬＯＣＫを読み取ることと
を備える、方法。
［Ｃ３２］
単一のセルに関連する前記第１のサブスクリプションおよび前記第２のサブスクリプションの各々についての共通制御チャネル構成グループ（ＣＣＣＨ＿ＧＲＯＵＰ）およびページンググループ（ＰＡＧＩＮＧ＿ＧＲＯＵＰ）を決定することをさらに備える、上記［Ｃ３１］に記載の方法。
［Ｃ３３］
第１のセルに関連するパラメータをもつ前記第１のサブスクリプションについてのＣＣＣＨ＿ＧＲＯＵＰおよびＰＡＧＩＮＧ＿ＧＲＯＵＰ、ならびに第２のセルに関連するパラメータをもつ前記第２のサブスクリプションについてのＣＣＣＨ＿ＧＲＯＵＰおよびＰＡＧＩＮＧ＿ＧＲＯＵＰを決定することをさらに備える、上記［Ｃ３１］に記載の方法。
［Ｃ３４］
前記第１のサブスクリプションおよび前記第２のサブスクリプションが単一のネットワークに関連するかどうかを決定することをさらに備える、上記［Ｃ３３］に記載の方法。
［Ｃ３５］
前記第２のセルに関連するパラメータをもつ前記第１のサブスクリプションについてのＣＣＣＨ＿ＧＲＯＵＰおよびＰＡＧＩＮＧ＿ＧＲＯＵＰを決定することをさらに備える、上記［Ｃ３３］に記載の方法。
［Ｃ３６］
前記第１のセルに関連するパラメータをもつ前記第２のサブスクリプションについてのＣＣＣＨ＿ＧＲＯＵＰおよびＰＡＧＩＮＧ＿ＧＲＯＵＰを決定することをさらに備える、上記［Ｃ３３］に記載の方法。
［Ｃ３７］
第２のサブスクリプションについての前記ＰＡＧＩＮＧ＿ＢＬＯＣＫを前記読み取ることが、前記第１のサブスクリプションのサブスクリプション識別情報とは異なるサブスクリプション識別情報を有する第２のサブスクリプションについての前記ＰＡＧＩＮＧ＿ＢＬＯＣＫを読み取ることを含む、上記［Ｃ３１］に記載の方法。
［Ｃ３８］
ページングサブチャネルの１つのページング期間中に、第１のサブスクリプションについてのページングブロックインデックス（ＰＡＧＩＮＧ＿ＢＬＯＣＫ）を読み取るための手段と、
前記ページングサブチャネル上の後続のページング期間中に、第２のサブスクリプションについてのＰＡＧＩＮＧ＿ＢＬＯＣＫを読み取るための手段と
を備える、デバイス。
［Ｃ３９］
コンピュータ上で実行されたときに、
ページングサブチャネルの１つのページング期間中に、第１のサブスクリプションについてのページングブロックインデックス（ＰＡＧＩＮＧ＿ＢＬＯＣＫ）を読み取ることと、
前記ページングサブチャネル上の後続のページング期間中に、第２のサブスクリプションについてのＰＡＧＩＮＧ＿ＢＬＯＣＫを読み取ることと
を備える動作を実行するコンピュータ実行可能命令を含む、コンピュータ可読媒体。
［Ｃ４０］
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のサブスクリプションまたは前記第２のサブスクリプションのいずれかから他のサブスクリプションへと受信されたページング情報を共有することと
を備える、方法。
［Ｃ４１］
前記決定することが、前記第２のサブスクリプションのサブスクリプション識別情報とは異なるサブスクリプション識別情報を有する第１のサブスクリプションについてのＣＣＣＨ＿ＧＲＯＵＰおよびＰＡＧＩＮＧ＿ＧＲＯＵＰを備える、上記［Ｃ４１］に記載の方法。
［Ｃ４２］
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定するための手段と、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のサブスクリプションまたは前記第２のサブスクリプションのいずれかから他のサブスクリプションへと受信されたページング情報を共有するための手段と
を備える、デバイス。
［Ｃ４３］
コンピュータ上で実行されたときに、
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のサブスクリプションまたは前記第２のサブスクリプションのいずれかから他のサブスクリプションへと受信されたページング情報を共有することと
を備える動作を実行するコンピュータ実行可能命令を含む、コンピュータ可読媒体。
［Ｃ４４］
第１のセルの１つまたは複数のパラメータに従って、第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のセルから第２の異なるセルへと受信されたページング情報を共有することと
を備える、方法。
［Ｃ４５］
第１のセルの１つまたは複数のパラメータに従って、第１のサブスクリプションおよび第２のサブスクリプションの各々についてのＣＣＣＨ＿ＧＲＯＵＰおよびＰＡＧＩＮＧ＿ＧＲＯＵＰを決定するための手段と、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のセルから第２の異なるセルへと受信されたページング情報を共有するための手段と
を備える、デバイス。
［Ｃ４６］
コンピュータ上で実行されたときに、
第１のセルの１つまたは複数のパラメータに従って、第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰおよびＰＡＧＩＮＧ＿ＧＲＯＵＰが、それぞれ前記第２のサブスクリプションについての決定されたＣＣＣＨ＿ＧＲＯＵＰおよびＰＡＧＩＮＧ＿ＧＲＯＵＰと同じである場合、前記第１のセルから第２の異なるセルへと受信されたページング情報を共有することと
を備える動作を実行するコンピュータ実行可能命令を含む、コンピュータ可読媒体。
［Ｃ４７］
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰが前記第２のサブスクリプションについての決定されたＣＣＣＨ＿ＧＲＯＵＰと同じであり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じでない場合、決定されたＣＣＣＨ＿ＧＲＯＵＰから連続するページを読み取ることと
を備える、方法。
［Ｃ４８］
前記決定することが、前記第２のサブスクリプションのサブスクリプション識別情報とは異なるサブスクリプション識別情報を有する第１のサブスクリプションについてのＣＣＣＨ＿ＧＲＯＵＰおよびＰＡＧＩＮＧ＿ＧＲＯＵＰを備える、上記［Ｃ４７］に記載の方法。
［Ｃ４９］
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定するための手段と、
前記第１のサブスクリプションについての決定されたＣＣＣＨ＿ＧＲＯＵＰが前記第２のサブスクリプションについての決定されたＣＣＣＨ＿ＧＲＯＵＰと同じであり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じでない場合、決定されたＣＣＣＨ＿ＧＲＯＵＰから連続するページを読み取るための手段と
を備える、デバイス。
［Ｃ５０］
単一のセルに関連する第１のサブスクリプションおよび第２のサブスクリプションの各々についてのＣＣＣＨ＿ＧＲＯＵＰおよびＰＡＧＩＮＧ＿ＧＲＯＵＰを決定することと、
前記第１のサブスクリプションについての決定されたＣＣＣＨ＿ＧＲＯＵＰが前記第２のサブスクリプションについての決定されたＣＣＣＨ＿ＧＲＯＵＰとは異なり、前記第１のサブスクリプションについての決定されたＰＡＧＩＮＧ＿ＧＲＯＵＰが前記第２のサブスクリプションについての決定されたＰＡＧＩＮＧ＿ＧＲＯＵＰと同じである場合、決定されたＣＣＣＨ＿ＧＲＯＵＰからインターリーブされたページを読み取ることと
を備える、方法。
【図１Ａ】
0005722462.tif 000002
【図１Ｂ】
0005722462.tif 000003
【図２】
0005722462.tif 000004
【図３】
0005722462.tif 000005
【図４Ａ】
0005722462.tif 000006
【図４Ｂ】
0005722462.tif 000007
【図５】
0005722462.tif 000008
【図６】
0005722462.tif 000009
【図７】
0005722462.tif 000010
【図８】
0005722462.tif 000011
【図９】
0005722462.tif 000012
【図１０】
0005722462.tif 000013
【図１１】
0005722462.tif 000014